Podtech/llm-jp-corpus-v4-ja_patent huggingface dataset:
(57)【要約】【目的】  負荷変動に影響を受けない突き当て動作だけで原点設定ができる数値制御装置を提供する。【課題】  数値制御装置１は、機械可動部２を機械固定部３に突き当てて、機械４の原点復帰動作を制御するために、到達位置誤差カウンタ５、到達位置誤差変移速度レジスタ６、到達位置誤差変移速度原点判定基準値レジスタ７、暫定原点位置判定手段８、暫定原点位置記憶手段９、正規原点位置決定手段１０、および正規原点位置記憶手段１１を有する。機械可動部２を機械固定部３に突き当たる方向に移動している間に到達位置誤差変移速度レジスタ６と到達位置誤差変移速度原点判定基準値レジスタ７の値を暫定原点位置判定手段８が利用し暫定原点位置有無判定を行い、暫定原点位置が有る場合暫定原点位置記憶手段９が暫定原点位置を記憶すると同時に正規原点位置決定手段１０により決定した正規原点位置を正規原点位置記憶手段１１により正規原点位置を記憶して原点とする。【選択図】図１
2015106403.tif 000002
【特許請求の範囲】
【請求項１】
機械可動部を機械固定部に突き当てて、機械の原点復帰動作を制御する制御装置において、指令位置と現在位置の差を時間当たりの変移量として演算する手段と、前期変移量から突き当たったことを判断する手段と、突き当たったことを判断した時点での現在位置を暫定原点位置とする手段と、暫定原点位置を記憶する手段と、突き当たった際に発生する機械の歪が発生しない位置を算出し正規原点位置とする手段と、正規原点位置を記憶する手段と、を有することを特徴とする数値制御装置。
【発明の詳細な説明】
【技術分野】
【０００１】  本発明の実施形態は、突き当て動作だけで原点設定ができる数値制御装置に関する。
【技術背景】
【０００２】  数値制御装置が機械を精度良く数値制御プログラムの指示通り動作させるためには、数値制御するための機械座標の原点が必要となる。このため、数値制御装置に機械原点を教示する方法は様々の方法が提案されている。
【０００３】  一般的には、原点に対応した外部信号の入り切りにより原点とする原点復帰方法であり、制御装置単独での原点復帰方法ではない。制御装置単独で原点復帰を行う代表的な方法は、突き当て原点復帰方法である。
【０００４】  従来の突き当て原点復帰方法の一般的な方法は、原点復帰動作時のトルク制限を低く設定し、突き当たったことを検知する方法である。
【０００５】  このように、機械の動作トルクに十分余裕がある場合では有効的であるがトルクに余裕のない機械や、上下動作に機械自身の重量がトルクに対して大きく影響する機械では少しの負荷変動などの外乱で原点復帰を失敗することや、原点位置の値が狂うことがある。
【特許文献】特開平７−１０４８１０
【発明の概要】
【発明が解決しようとする課題】
【０００６】  そこで、本発明は負荷変動に影響を受けない突き当て動作だけで原点設定ができる数値制御装置を提供することにある。
【課題を解決するための手段】
【０００７】  機械可動部を機械固定部に突き当てて、機械の原点復帰動作を制御する制御装置において、指令位置と現在位置の差を時間当たりの変移量として演算する手段と、前期変移量から突き当たったことを判断する手段と、突き当たったことを判断した時点での現在位置を暫定原点位置とする手段と、暫定原点位置を記憶する手段と、突き当たった際に発生する機械の歪が発生しない位置を算出し正規原点位置とする手段と、正規原点位置を記憶する手段と、を有することを特徴とする数値制御装置。
【発明の効果】
【０００８】  本発明によれば、負荷変動に影響を受けない突き当て動作だけで原点設定ができることができる。
【図面の簡単な説明】
【０００９】
【図１】本発明の実施形態に係る制御装置の全体の構成図である。
【発明を実施するための形態】
【００１０】  以下、本発明による制御装置の一実施例について、添付の図面を参照しながら説明する。図１は、本発明の制御装置の全体の構成図である。
【００１１】  数値制御装置１は、機械可動部２を機械固定部３に突き当てて、機械４の原点復帰動作を制御するために、到達位置誤差カウンタ５、到達位置誤差変移速度レジスタ６、到達位置誤差変移速度原点判定基準値レジスタ７、暫定原点位置判定手段８、暫定原点位置記憶手段９、正規原点位置決定手段１０、および正規原点位置記憶手段１１を有する。機械可動部２を機械固定部３に突き当たる方向に移動している間に到達位置誤差変移速度レジスタ６と到達位置誤差変移速度原点判定基準値レジスタ７の値を暫定原点位置判定手段８が利用し暫定原点位置有無判定を行い、暫定原点位置が有る場合暫定原点位置記憶手段９が暫定原点位置を記憶すると同時に正規原点位置決定手段１０により決定した正規原点位置を正規原点位置記憶手段１１により正規原点位置を記憶して原点とする。
【００１２】  到達位置誤差カウンタ５の値を時間当たりの変移量として計算した値は、到達位置誤差変移速度レジスタ６に格納され、この格納された変移量の挙動は、突き当て前の値は限りなく０に近い値を示し、突き当たりはじめは急激に増加し、一定する。
【００１３】  暫定原点位置判定手段８は、到達位置誤差変移速度レジスタ６の値が一定したことを検知しかつ、到達位置誤差変移速度原点判定基準値レジスタ７の値が到達位置誤差変移速度レジスタ６の値より大きい場合、暫定原点位置があると判定しかつ、暫定原点位置記憶手段９が暫定原点位置を記憶する。
【００１４】  暫定原点位置があると判定されたことから正規原点位置決定手段１０により機械が押し当てによる歪を除去するため、押し当て原点復帰方向と逆方向の位置を正規原点位置とし決定される。
【００１５】  正規原点位置記憶手段１１により前記正規原点位置を記憶して原点とする。
【００１６】  以上、本発明による制御装置により、負荷変動に影響を受けない突き当て動作だけで原点設定ができることができる。
【図１】
2015106403.tif 000003
(57)【要約】 【課題】  一般のショルダーストラップは、肩に掛けて持ち運びしやすいように、鞄の大きさに対して長めに調節されることが多い。そのため、鞄を床に置くことによりショルダーストラップが垂れ下がり、肩に掛ける部分が床に触れて不潔になりやすい。しかし、鞄を床に置く度に、長さ調節金具により、ショルダーストラップの長さを調節するのは面倒である。【解決手段】  ショルダーパッドに、ショルダーストラップの垂れ防止機能を持たせ一体化することに加え、装備されているフックを被吊持物の両サイドのリング等に固定できる事で、ショルダーストラップの垂れ防止効果が発揮でき、収納も非常にコンパクトになる。【選択図】  図１
2015066198.tif 000002
【特許請求の範囲】
【請求項１】
鞄などの被吊持物の、ショルダーストラップ部分のショルダーパッドが、スナップボタンにより着脱出来る構造であり、ショルダーパッドのスリット部分から露出しているストラップ部分に着脱可能なリング状の引出部材を装備し、更にその引出部材にフックが装備できる構造であり、引出部材を引き、ショルダーパッドのスリット部分から、ストラップ部分を引き出した後、フック部分が鞄の両サイドに装備されていて、ストラップを鞄本体に取り付けているリングに着脱出来る構造であり、ショルダーパッドにストラップの垂れを防止する引出部材とフックを装備することで、簡単に垂れを防止できコンパクトに収納する事が出来る垂れ下がり防止ショルダーパッド。
【発明の詳細な説明】
【技術分野】
【０００１】
本発明は、鞄などの被吊持物のショルダーストラップの垂れ下がりを防止するためのショルダーストラップ用垂れ下がり防止ショルダーパッドに関するものである。
【背景技術】
【０００２】
一般に、鞄（ショルダーバッグ）やクーラーボックスなどの被吊持物には、肩に掛けて持ち運びするためのショルダーストラップが取り付けられている。
【０００３】
従来のショルダーストラップには、垂れ下がりを防止するための防止具がついているものがある。
【先行技術文献】
【特許文献】
【０００４】
【特許文献１】特開２００４−２４２７４２公報
【発明の概要】
【発明が解決しようとする課題】
【０００５】
一般のショルダーストラップは、肩に掛けて持ち運びしやすいように、鞄の大きさに対して長めに調節されることが多い。そのため、鞄を床に置くことによりショルダーストラップが垂れ下がり、肩に掛ける部分が床に触れて不潔になりやすい。しかし、鞄を床に置く度に、長さ調節金具により、ショルダーストラップの長さを調節するのは面倒である。
【０００６】
従来の垂れ下がり防止具も、通常位置的にはショルダーパッドの位置と重なって邪魔になってしまう点、さらにショルダーパットを使用しないケースでは、金属性等の垂れ下がり防止具が保護部材なしで肩に触れてしまい、加重が増える程に肩が痛くなる問題が発生する。
【０００７】
本発明は、ショルダーストラップの垂れ下がりを防止することができる、垂れ下がり防止機能を有したショルダーパッドを提供することを目的とする。
【課題を解決するための手段】
【０００８】
本発明は、鞄などの被吊持物のショルダーストラップの垂れ下がりを防止して、ショルダーストラップが床などに触れないようにするための、垂れ下がり防止機能を有したショルダーパッドを提供するものである。なお、被吊持物としては、鞄以外にもクーラーボックスなど、どのようなものであってもよく、１本だけでなく複数本のショルダーストラップを取り付けたものを含む。また、ショルダーストラップは、肩に掛けるもの以外にも手に持って被吊持物を持ち運びするように設定されたものを含む。
【０００９】
具体的な構成としては、ショルダーストラップを包み込むように、中央部分に片面にスリットを有した垂れ下がり防止ショルダーパッド本体を取り付け、そのスリット部分から見えるショルダーストラップに、取り外し可能なリング状の引出部材を取り付け、さらにその引出部材にはフックが装備されている。ショルダーパッド本体のスリット部分から、リング状の引出部材を引っ張り上げ、装備されているフックを、被吊持物の両サイドのショルダーストラップが固定されているリング等に取り付け固定し、ショルダーストラップの垂れ下がりを防止する。肩に掛ける時などの、ショルダーパッドの負荷時には、被吊持物を持ち上げたときの負荷によりショルダーストラップをショルダーパッド本体のスリット部分に引き戻すようにする。
【発明の効果】
【００１０】
ショルダーパッドに、ショルダーストラップの垂れ防止機能を持たせ一体化することに加え、装備されているフックを被吊持物の両サイドのリング等に固定できる事で、ショルダーストラップの垂れ防止効果が発揮でき、収納も非常にコンパクトになる。
【図面の簡単な説明】
【００１１】
【図１】本発明のショルダーパットとストラップと鞄を示す図である。
【図２】本発明のショルダーパッドと引出部材とフックの図である。
【図３】本発明のショルダーパッドと引出部材とフックの側面図である。
【発明を実施するための形態】
【００１２】
以下、本発明の実施の形態を説明する。
図１はこの発明の実施の形態１に係る、ショルダーストラップ、ショルダーパッド付き鞄を示す構成図である。符号１は鞄部分、符号２はショルダーストラップ部分、符号３はショルダーパッド部分、符号４はリング状の引出部材、符号５はフック部分、符号６はショルダーストラップ及びフックを取り付けられるリング状の部材である。
【００１３】
図２は、ショルダーストラップに、ショルダーパッドと引出部材とフックを取りつけた図である。
鞄を肩に掛けて持ち運ぶ際などは、図１の状態で符号３のショルダーパッドを肩にあてて使用する。
【００１４】
符号３のショルダーパッドは、中央の片面にスリット部分を有し、符号３aのようなスナップボタンでショルダーストラップ部分と着脱出来る構造である。この着脱構造は上記のスナップボタンの構造に限定されない。例えば面ファスナーやスライドファスナーやマグネットなども用いることができる。
【００１５】
符号３のショルダーパッドのスリット部分から露出しているショルダーストラップ部分に、符号４の着脱可能な引出部材を取り付け、ショルダーパッドを手で押さえながら引出部材を引っ張ることで、スリット部分から弛んでいるショルダーストラップの垂れを引き出すことが出来る。また、肩に掛けて使用する場合は、ショルダーパッドを持ち上げることの負荷でスリット部分から引き出されたストラップ部分が引き戻される。
【００１６】
上記のように引出部材を引っ張った後、符号５のフック部分と、符号６のリング部分を結合することで、引き出した部分のショルダーストラップの垂れを防止でき、よりコンパクトに収納することが出来る。
【００１７】
符号４の引出部材、符号５のフック部分、符号６のリング部分の素材は金属やプラスチックからなっており、符号３ショルダーパッド部分は、弾性部材と綿・ナイロン・ポリエステル・ウール・麻・シルクなどで構成された布状の素材で構成される。
【符号の説明】
【００１８】
１  鞄
２  ショルダーストラップ
３  ショルダーパッド
４  リング状の引出部材
５  フック
６  フックを取り付けられるリング状の部材
【図１】
2015066198.tif 000003
【図２】
2015066198.tif 000004
【図３】
2015066198.tif 000005
(57)【要約】      （修正有）【課題】スタジアムで大きい面積、大きい上部空間を有するスタンド席の観客席背もたれ部を太陽光発電エリアとして活用する太陽電池システムを提供する。【解決手段】スタジアムの年間運営のなかで、広いスタンド席を全面的に使用するビックイベント開催日以外は、多くの観客席１が空席となり、この大きな面積。大きな上部空間が、新たに太陽光発電に活用できるエリアとなる。広い上部空間が発生するスタンド席の観客席背もたれ部に太陽電池モジュール２を取付具３で連結固定し、太陽光モジュール付き観客席の太陽電池モジュール２の出力回路をスタンド席単位で１本にまとめ、スタンド席別太陽電池アレイとし、各スタンド席の太陽電池アレイの出力回路を１本にまとめ、太陽光発電で、電力を供給する太陽電池システムとする。【選択図】図１
2015066398.tif 000002
【特許請求の範囲】
【請求項１】
スタジアムで大きな面積、大きな上部空間を有するスタンド席の観客席を太陽電池モジュール付き観客席にする手段と、太陽電池モジュール付き観客席の太陽電池モジュールをスタンド席単位の太陽電池アレイとする手段と、各スタンド席の太陽電池アレイの出力回路を１本にまとめ太陽光発電で電力を供給することを特徴とする太陽電池システム。
【請求項２】
前記太陽電池モジュール付き観客席にする手段は、各観客席背もたれ部に取付フレームと、太陽電池セルと、透明の充填剤と、背もたれ形状の強固な透明保護板とで構成した太陽電池モジュールを取付具で連結固定し、太陽電池モジュール付き観客席にすることを特徴とする請求項１記載の太陽電池システム。
【請求項３】
前記太陽電池アレイとする手段は、各スタンド席に配置している太陽電池モジュール付き観客席の太陽電池モジュールの出力回路を各スタンド席単位で１本にまとめ、スタンド席単位の太陽電池アレイとすることを特徴とする請求項１記載の太陽電池システム。
【発明の詳細な説明】
【技術分野】
【０００１】
本発明は、スタジアムの観客席に装備する太陽電池システムに関するものである。
【背景技術】
【０００２】
広い土地や屋外施設のスペースを有効に活用し、メガワットシステム、ソーラシステム、小規模な太陽光発電などの太陽光発電システムが稼働している。スタジアムでの太陽光発電の一例として、スコアボード表示装置上の太陽光発電でスコア表示する方法がある。（特許文献１参照）
太陽光発電のエリアが少なく、発電量は少ない。発電量を増やすには、スタジアムの未活用スペースを発掘し、太陽光発電による発電量拡大が望まれている。
【０００３】
本発明の目的は、スタジアムで大きな面積、大きな上部空間を有する観客席を新たな太陽光発電エリアとし、観客席背もたれ部に太陽電池システムを装備することである。
【先行技術文献】
【特許文献】
【０００４】
【特許文献１】特開２０００−０４２１６０号公報。
【発明の概要】
【発明が解決しようとする課題】
【０００５】
以上に述べたスタジアムの太陽光発電は、スコアボードを対象としたものである。スタジアムのイベント開催日以外は未活用スペースとなるスタンド席を新たな太陽光発電エリアにすることである。
【０００６】
本発明は、スタジアムのスタンド席に配置されている観客席背もたれ部に太陽電池モジュールを装備し、スタンド席単位の太陽電池アレイとする太陽電池システムにすることを課題とする。
【課題を解決するための手段】
【０００７】
本発明は、スタジアムで大きな面積、大きな上部空間を有するスタンド席の観客席背もたれ部に取付フレームと、太陽電池セルと、透明の充填剤と、背もたれ形状の強固な透明保護板とで構成した太陽電池モジュールを取付具で連結固定し、太陽電池モジュール付き観客席とする。
【０００８】
スタジアムの各スタンド席に配置している太陽電池モジュール付き観客席の太陽電池モジュールの出力回路を各スタンド席単位で１本にまとめスタンド席単位の太陽電池アレイとし、各スタンド席の太陽電池アレイの出力回路を１本にまとめ太陽光発電で、電力を供給する太陽電池システムである。
【発明の効果】
【０００９】
上述したように本発明の太陽電池システムは、スタジアムの大きな面積、大きな上部空間をスタンド席の観客席を有効的に活用することで、規模の大きい太陽光発電システムとなり、多くの電力を供給できる。
【図面の簡単な説明】
【００１０】
【図１】本図は、観客席背もたれ部に太陽電池モジュールを取付けを示す一例である。
【発明を実施するための形態】
【００１１】
以下本発明の形態を図１に基づいて説明する。
【００１２】
図において、１はスタジアムのスタンド席の観客席、２は観客席の背もたれ部の形状に合わせた太陽電池モジュール、３は観客席と太陽電池モジュールとを連結固定する取付具。
【００１３】
スタジアムで開催するビックイベント日以外は、バックスタンド、サイドスタンドの観客席は空席となる  および  イベントがない日は、全観客席が空席となる、この観客席の面積、上部空間が新たな太陽光発電のエリアとなり、メーンスタンド席と、バックスタンド席と、サイドスタンド席とに区分けし、各観客席背もたれ部に取付フレームと、太陽電池セルと、透明の充填剤と、背もたれ形状の強固な透明保護板とで構成した太陽電池モジュールを取付具で連結固定し、太陽電池モジュール付き観客席とする。
各スタンド席に配置している太陽電池モジュール付き観客席の太陽電池モジュールの出力回路を各スタンド席単位で１本にまとめスタンド席単位の太陽電池アレイとし、各スタンド席の太陽電池アレイの出力回路を１本にまとめ太陽光発電で、電力を供給する太陽電池システムである。
【符号の説明】
【００１４】
１  観客席
２  太陽電池モジュール
３  取付具
【図１】
2015066398.tif 000003
(57)【要約】【課題】靴をはく時に靴べらを使うとはきやすくなるが、携行するのにジャマになる大きさや素材なので持ち歩きにくい。靴べらを使わないとカカトをふみやすくなり靴の格好が悪くなりやすい。又、お年寄りにくつを入てもらう時に介助者が靴べらを使うとかかととくつべらの位置がわかりにくくお年寄りに痛い思いをさせてしまう。本発明は携行しやすく靴のかかとをいためないように楽にはける為の繊維素材を使って作った靴べらを提供する。【解決手段】はき口からかかとにかけて本製品をひろげてセットしたところに足を入れ、その後にそれを引っぱり抜いて使うことを特徴とする繊維素材でできた靴べら。【選択図】図１
2015066421.tif 000002
【特許請求の範囲】
【請求項１】
繊維素材を利用して作った持ち手（引き手）をもつ靴べら。
【発明の詳細な説明】
【技術分野】
【０００１】本発明は靴をはきやすくし、靴のかかとをいためずに携行に便利な靴べらに関するものである。
【背景技術】
【０００２】靴をはく時に靴べらを使うと足入れがよくなり、また靴がいたまない。
【発明の概要】
【発明が解決しようとする課題】
【０００３】  靴をはく時に靴べらを使うと足入れがよくなり靴がはきやすくなるが、それを持ち歩くにはポケットの中でジャマになり持ち歩きにくい。又お年寄りの人に介助者が使うとくつべらを足にそわせるのがむずかしく痛い思いをさせることがある。又かかとをふむとくつが痛み格好も悪くなる。
本発明は以上の問題点を解決するためになされたものである。
【問題を解決するための手段】
【０００４】  繊維素材を利用してくつべらの形をつくり、それを引っぱり抜く時の為に持つところをつける。
以上の構成によりなる靴べら。
【発明の効果】
【０００５】  本発明により従来の靴べら使用時と同じ効果が得られる他に、小さく折り畳めるので携行しやすくなる。又、あらかじめ靴にセットしておけるので、お年寄りにくつをはいてもらう時など、足入れがスムーズにできるようになり、かかとから靴べらをぬく時でも痛い思いをさせずにすむ。
【図面の簡単な説明】
【０００６】
【図１】  本発明の形態図
【図２】  本発明の使用状態を示す図
【発明を実施するための形態】
【０００７】  以下、本発明の実施の形態を説明する。
（イ）繊維素材によって靴べらの形をつくり、上部に使用した際ひっぱり抜く時に使う持ち手をつける。
本発明は以上のような構造である。
本発明を使用する時は、通常の靴べらを使用する時と同じようにはく時に使用して、足が入ったら本発明品をひっぱり抜く。またあらかじめこれをくつのかかとにたらすようにセットしておき足を入れたら持ち手をもってこれを引っぱり抜く。
【符号の説明】１．靴べら部    ２．持ち手（引き手）
【図１】
2015066421.tif 000003
【図２】
2015066421.tif 000004
(57)【要約】      （修正有）【課題】従来の練習は実際に投げられたボール、又は、飛んでくるボールを打ったり、捕えたり、蹴ったりして動体視力を強化し技術の向上をめざしていた。この練習方法では、動体視力を効率的に強化できなかった。【解決手段】竿２に巻揚げ装置３とシーブ５を取付け、シーブからロープ４ａが外れないようにピン６を取付ける。巻揚げ装置にロープ４ａを巻きつけシーブに通し撚り抜き７に取付け、撚り抜きに目盛り９を印した先の尖った棒８の付いたロープ４ｂを取付ける。竿の先端の下に容器１２を設置し側面には水位計１４を設置する。容器の底には粘土１３を敷き、水１１を入れる。椅子に座る場合は、竿受け１を支点として椅子に固定し使用する。水面の高さ１０は水量を加減してｘとし、容器の上端の高さ１５は水位計で調整し＋ａとして数値を変えることで変化に対応した練習ができる。以上の構成により動体視力を強化する装置。【選択図】図１
2015066419.tif 000002
【特許請求の範囲】
【請求項１】
竿（２）に巻揚げ装置（３）とシーブ（５）を取付け、シーブからロープ（４ａ）が外れないようにピン（６）を取付ける。巻揚げ装置にロープ（４ａ）を巻き付けシーブに通し撚り抜き（７）に取付け、撚り抜きに目盛り（９）を印した先の尖った棒（８）の付いたロープ（４ｂ）を取付ける。竿の先端の下に容器（１２）を設置し容器の側面に水位計（１４）を設置する。容器の底には粘土（１３）を敷き水（１１）を入れる。
椅子に座る場合は、竿受け（１）を支点として椅子に固定して使用する。また、容器（１２）と水（１１）は図１の斜視図では透明ですが、水の色は水面と棒の目盛りが見やすいような色にすると良い。
以上の構成により動体視力を強化する装置。
【発明の詳細な説明】
【技術分野】
【０００１】  水の入った容器に棒を落下させて、水面と水深を示す棒の目盛りが重なった瞬間にブレーキを掛けることによって動体視力を強化する装置に関する。
【背景技術】
【０００２】  スポーツ競技は、動体視力を強化すると技術のレベルアップができる事がわかっている。従来の練習は実際に投げられたボール、又は、飛んでくるボールを打ったり、捕えたり、蹴ったりして動体視力を強化し技術の向上をめざしていた。
【発明の概要】
【発明が解決しようとする課題】
【０００３】  （１）  上記の練習方法は、動体視力を効率的に強化できなかった。
（２）  動体視力の強化と同時に思考することも必要であった。
本発明は、以上のような課題を解決した動体視力強化措置である。
【課題を解決するための手段】
【０００４】  竿（２）に巻揚げ装置（３）とシーブ（５）を取付け、巻揚げ装置にロープ（４ａ）を巻き付けシーブに通し撚り抜き（７）をつけ、撚り抜きに目盛り（９）を印した先の尖った棒（８）を取付けたロープ（４ｂ）を取付ける。竿の先端の下に容器（１２）を設置し、容器の側面に水位計（１４）を設置する。
容器の底には粘土（１３）を敷き、水（１１）を入れる。椅子に座る場合は、竿受け（１）を支点として椅子に固定して使用する。容器（１２）と水（１１）は（図１）の斜視図では透明ですが、水の色は水面と棒の目盛りが見やすいような色にすると良い。
以上の構成により動体視力を強化する装置である。
【発明の効果】
【０００５】  （１）  常に棒の目盛りと棒の軌道を目で追える。
（２）  落下する棒の水深の目盛りと容器の水面が重なった瞬間に棒にブレーキを掛け        ることで動体視力を強化できる。
（３）  棒が落下すると粘土を掘削するので、水位計から容器の上端を読み取り＋ａと        し、−ａを±０とし、水面の高さをｘとして−ｚまで掘削する。−ｚを確認する        にはｘ＋ｚを棒の目盛りで読み取る。＋ａ・ｘ・−ｚの数値を変えて変化に対応        した思考する訓練ができる。
（４）  竿を左右上下の角度も変えることで変化に対応した練習ができる。
【図面の簡単な説明】
【０００６】
【図１】本発明の動体視力強化装置の斜視図
【発明を実施するための形態】
【０００７】  以下、本発明の実施の形態について説明する。
竿（２）に巻揚げ装置（３）とシーブ（５）を取付ける。シーブからロープ（４ａ）が外れないようにピン（６）を取付ける。ロープ（４ａ）を巻揚げ装置に巻き付けシーブに通し撚り抜き（７）をつけ、撚り抜きに目盛り（９）の印した先の尖った棒（８）を取付けたロープ（４ｂ）を取付ける。棒の下には容器（１２）を設置し、容器の側面に水位計（１４）を設置する。容器の底には粘土（１３）を敷き、水（１１）を入れる。
椅子に座る場合は、竿受け（１）を支点として椅子に固定して使用する。
上記構成を実施するための操作を順を追って説明する。
（１）  竿を片手で持ち固定し、もう一方の手で巻揚げ装置を操作し棒の巻き揚げ・落下      ・ブレーキを掛けるを行います。立っても椅子に座っても練習できる。
（２）  （発明の効果）で記述した＋ａ・ｘ・−ｚを設定する。
（３）  棒を水底へ下ろし棒の目盛りで水深を測り覚えます。棒から視線を離さずに竿の      先端近くまで巻き揚げ止め、棒の振れを止めて落下させます。
（４）  （３）で覚えた水深の目盛りと水面が重なったらブレーキを掛けます。この時、      棒は粘土に掘削し棒の目盛りは深くなっている。深くなった目盛りを水深として覚      え（３）の手順に戻って−ｚになるまで繰り返す。
（５）  棒が−ｚに達したら竿を横に移動して（３）、（４）の手順に戻り練習する。
（６）  竿の横の移動が容器の側面でできなくなったら、竿を倒してまた（３）、（４）      、（５）の手順で練習する。
（７）  容器内を一通り練習したら掘削された粘土の表面を直します。
（８）  新たな＋ａ・ｘ・−ｚを設定して練習する。
＋ａの設定の仕方は水位計を上下に移動する。
ｘの設定の仕方は水の量を加減する。
−ｚの設定の仕方は容器の底に棒が当たらないように設定する。
【符号の説明】
【０００８】    （１）竿受け        （８）棒
（２）竿            （９）目盛り
（３）巻揚げ装置    （１０）水面の高さ：ｘ
（４ａ）ロープ      （１１）水
（４ｂ）ロープ      （１２）容器
（５）シーブ        （１３）粘土
（６）ピン          （１４）水位計
（７）撚り抜き      （１５）容器の上端を水位計で表した高さ：＋ａ
【図１】
2015066419.tif 000003
(57)【要約】【課題】  靴の内部を洗う目的で、細長いたわしや少し反らした柄などの工夫が一般に知られているが、子供靴の内奥の底や周壁面を自在に当てこすって洗い落とすには不便であった。底だけでなく、靴の内奥、内側全面を洗い落とすために、自由自在にコントロールできる彎曲柄付きの球形たわしを提供する。【解決手段】  凡そ１２ｃｍ〜１６ｃｍ程の長さの柄の先に、直径３〜６ｃｍ程の大きさの略球形にまるめたたわしを取り付けるのであるが、柄は全体が緩くなだらかに円弧を描くように彎曲し、円弧の内側面に手元から先端まで溝を形成し、柄の手元に指引っかけ凸部と下げ掛け孔を設けたことを特徴とする小さな子供の靴が洗いやすい柄の球形たわし。【選択図】図１
2015066420.tif 000002
【特許請求の範囲】
【請求項１】
凡そ１２ｃｍ〜１６ｃｍ程の長さの柄の先に、直径３〜６ｃｍ程の大きさの略球形にまるめたたわしを取り付けるのであるが、柄は全体が緩くなだらかに円弧を描くように彎曲し、円弧の内側面に手元から先端まで溝を形成し、柄の手元端に指引っかけ凸部を形成し、柄の手元端の近くに下げ掛け孔を設けたことを特徴とする小さな子供の靴が洗いやすい柄の球形たわし。
【発明の詳細な説明】
【技術分野】
【０００１】  本発明は小さな子供の靴の中を洗いやすく工夫した運動靴洗浄用たわしに関するものである。
【背景技術】
【０００２】  従来、運動靴の内側を洗う際は亀の子たわしを握って靴の中に手を突っ込み洗うか、たわし部にほぼ延長線上に少し反る形に柄が付いている亀の子たわしを使ってこすって洗う。
また、運動靴の内部を洗いやすくする為に、たわし部分に設けられている専用の軸で靴を抑えつけながら内奥を洗うとする運動靴の洗浄具（特許文献１参照）や狭い場所や管などの細い部分の汚れを磨くことが出来る柄付きたわしのような先行技術（特許文献２参照）等が知られている。
【先行技術文献】
【特許文献】
【０００３】
【特許文献１】特許公開２００７−１１１４４６号公報
【特許文献２】特許公開２００４−４９６７２号公報
【発明の概要】
【発明が解決しようとしている課題】
【０００４】  運動靴の開口部は狭く、特に子供の靴の場合は、たわしを握って内部を洗うのは困難で、柄が反っているタイプのたわしも前後に動かすことしか出来ず、靴内部の微妙な曲面を縦横に動かして洗う操作性に欠けている。特許文献１の、たわしに押さえつけ軸の付いた洗浄具は、一方の手で常に押さえつけながら、たわしを前後させて強く靴面をこするので、こすられる面は汚れが落ちやすいかもしれないが、事実上内底を押さえつけてこすることは出来ても、内部の周囲側面や上面などはこすることが不可能である。特許文献２に示される柄付きたわしは意図された通り、細い溝や管の中を洗浄するのに適した細長の金属たわしであって、やさしい力で使用すれば靴洗いに使えなくもないが、靴内部のソフトな傷つきやすい面を洗うには、できれば避けたい。
本発明は以上の問題点を解決するためになされたものである。
【課題を解決するための手段】
【０００５】  凡そ１２ｃｍ〜１６ｃｍ程の長さの柄の先に、直径３〜６ｃｍ程の大きさの略球形にまるめたたわしを取り付けるのであるが、柄は全体が緩くなだらかに円弧を描くように彎曲し、円弧の内側面に手元から先端近くまで溝を形成し、柄の手元端に指引っかけ凸部を形成し、柄の手元端の近くに下げ掛け孔を設ける。
以上を特徴とする小さな子供の靴が洗いやすい柄の球形たわしである。
【発明の効果】
【０００６】  たわしの形状が小さな略球形であることにより、従来洗いづらかった運動靴の内奥の局面の隅々までたわしのブラシ部分が自由自在に届くようになった。又柄が円弧を描き彎曲しているので、狭い入口で柄がつかえることなく靴のつま先の方まで、靴内部でたわしを自在に動かして、たわしの外周部を靴内面に確実に押し当てながら洗うことが出来る。この柄の形状はテコの原理も利用しやすく、こするのに従来ほどの力を有しない。握った時に円弧の内側に来る中指と薬指の指先と腹が溝に入り込み、端にある凸部により固定され、手が洗浄液の泡だらけになっても、握りは滑りにくく安定して保持され、柄を自由にコントロールできる。
本発明が通常のたわし以上に、靴の外側表面の汚れも一層洗い落としやすいのは云うまでもない。
【図面の簡単な説明】
【０００７】
【図１】本発明の斜視図
【図２】本発明の柄の裏側の正面図
【発明を実施するための形態】
【０００８】  以下、本発明の実施の形態を説明する。
凡そ１２ｃｍ〜１６ｃｍ程の長さの柄（２）の先に、直径３〜６ｃｍ程の大きさの略球形にまるめたたわし（１）を取り付けるのであるが、柄（２）は全体が緩くなだらかに円弧を描くように彎曲し、円弧の内側面に手元から先端近くまで溝（４）を形成し、柄の手元端に指引っかけ凸部（３）を形成し、柄の手元端の近くに下げ掛け孔（５）を設ける。
本発明は、以上の様な構成であり、これを実際に使用する時は、握る際内側の溝（４）に中指と薬指の先と腹を当て入れ、指引っかけ凸部（３）に薬指や小指が固定されてしっかり握ることができ、柄を自由自在に操作する。又弧を描くように彎曲した形状の柄（２）は、小さな運動靴の開口部から挿入して内部を洗う際、てこの原理で力を入れずとも内部をこすり洗うことができる。また球形の小さなたわし（１）であることにより、内部の隅々にまでたわしが届き、イメージ通りに汚れを洗い落とすことができる。洗い終わったら、下げ掛け孔（５）で壁に掛けおいて、清潔に乾燥させればよい。
【符号の説明】
【０００９】１  たわし、  ２  柄、  ３  指引っかけ凸部、  ４  溝、  ５  下げ掛け孔
【図１】
2015066420.tif 000003
【図２】
2015066420.tif 000004
(57)【要約】【課題】買い物袋を持ち帰る途中で、転倒することを考慮して両手を自由にしておくことを特徴とする、腰を利用した、買い物袋支持帯を提供する。【解決手段】腰帯（１）の横両側に、折りたたみ式の支持棒（３）に、買い物袋を吊り下げる。本発明は以上の構造による買い物袋支持帯である。【選択図】図５
2015066414.tif 000002
【特許請求の範囲】
【請求項１】
腰帯（１）の横両側に折りたたみ式支持棒（３）を設け、買い物袋を吊り下げ支持できる、買い物袋支持帯。
【請求項２】
腰帯（１）の一部にコマ−シャル掲示スペ−スを設けた、請求項第１項に記載の買い物袋支持帯。
【発明の詳細な説明】
【技術分野】
【０００１】本発明は，買い物袋を手で下げず、腰で支えて転倒防止と、両手を自由にするものである。
【背景技術】
【０００２】従来の，買い物袋のベルトは重心が高いことと、両手の自由は不十分であった。【０００３】また、雨の日の両手の買い物は困難であった。
【先行技術文献】
【特許文献】
【０００４】
【特許文献１】特開平１０−１７４６１１号公報
【発明の概要】
【発明が解決しようとする課題】
【０００５】従来は両手で持てない程の買い物をしてしまったときは、品物を戻したり、買い物の回数を多くする方法をとっていた。
本発明は、以上のような欠点をなくすものである。
【課題を解決するための手段】
【０００６】本発明は、重い買い物袋を、重心の低い腰の位置に、支持点を定めることで、安定した移動が可能であり、両手が自由になる特徴がある。
【発明の効果】
【０００７】本発明は、重い買い物袋を数本の指で支えることで、指神経を痛めることもあった、従来よりも体の一番安定している腰で買い物袋を吊り下げることができる。その上、両手を自由にすることで、雨の日も、転倒持も、両手が活用できる。
【図面の簡単な説明】
【０００８】
【図１】実施形態の買い物袋支持帯を説明するための買い物袋支持帯の平面図。
【図２】同じく買い物袋支持帯の正面図。
【図３】同じく買い物袋支持帯の背面図。
【図４】同じく買い物袋支持帯の側面図。
【図５】同じく買い物袋支持帯の実施図。
【発明を実施するための形態】
【０００９】以下、本発明を実施するための形態について説明する。
腰に帯（１）を巻き横両側に、吊り下げ支持棒（３）を設けた買い物袋の保持具であって両手が自由に使うことができる、両手が使えると、雨の日の買い物もできる、その上、転倒でもした時は手が先に保護し大事に至らないことになる。
【符号の説明】
【００１０】１  腰に巻く帯
２  マジックテープ
３  買い物袋を吊り下げる支持棒
４  コマ−シャル掲示スペ−ス
５  腰あて
【図１】
2015066414.tif 000003
【図２】
2015066414.tif 000004
【図３】
2015066414.tif 000005
【図４】
2015066414.tif 000006
【図５】
2015066414.tif 000007
(57)【要約】      （修正有）【課題】高低層建築及び住宅の降水・海水深層水を使用した水の落差を使用した都市型水力発電を可能にするための河川貯水施設と深層水導入コントロールシステムを提供する。【解決手段】コンピューターが得意とする高速演算技術とリサーチ（予測）技術を駆使して都市型発電用に開発されたパーソナル・コンピューター（以後、ＰＣと省略）とＰＣ群、すなわち、端末高速演算ＰＣを電話回線で水力発電量を集計する。低層・高層建築の降水時及び集中豪雨の水力落差を使用しつつ、建物全体で貯水する。又、低層住宅においては、水力発電を重視する。また、降水が定まらない場合に備え、地下貯水施設により電力の安定供給を図る。貯水は建物自体にダメージ（塩害）を与えない水質として『海水深層水』を使用する。【選択図】なし【特許請求の範囲】
【請求項１】
（１）端末気象観測用機器と制御盤表示コンピューターを集合して高速演算装置とする端末集合型リアルタイム雨量表示システム
（２）端末気象観測機器と超高速演算機器「京」コンピューターを使用して発電量をリサーチする。
（３）前記、１・２を双方向通信インターネットで接続し、固定電話の有線・無線・ファックスミリ・ＰＣファックス・携帯電話・通信衛星等を使用、仲介して高速通信を行うものとする。
【請求項２】
（１）低層建築、すなわち住居を含む建物を示唆する物であり、高層建築とは、高層マンション、総合ビルディングを示す物である。
又、発電資源初期汲み上げ電源として自家発電装置使用を考慮する。
【請求項３】
（１）都市型水力発電の水源資源を地下貯水場の降水と海水深層水とるす。
（２）光熱費削減に貢献しつつ、飲料水として活用する。
【発明の詳細な説明】
【技術分野】
【０００１】コンピューターが得意とする高速演算技術とリサーチ（予測）技術を駆使して都市型発電用に開発されたパーソナル・コンピューター（以後、ＰＣと省略）とＰＣ郡、すなわち、端末高速演算ＰＣを電話回線で水力発電量を集計する。
また、スーパーＰＣ例えば（ｅｘ，）「京」をマザーにして発電量を把握・制御することができる。又、電話回線とは、インターネットを示すものであり、固定電話の有線・無線・携帯電話・ＰＣｆａｘ・ファックス・通信衛星等を使用、仲介した双方向高速通信網を示唆・表現したものである。【０００２】都市型水力発電に於ける必要十分条件として水流の「落差」を考慮しつつ、水量による最大限の発電を送電可能な構造を建築・リホームする必要がある。
都市型水力発電には、低層住宅（落差・高低がある建物）・高層建築郡が存在するが、イメージとして都市型集中豪雨発生事に河川の氾濫を一時的に回避する目的で設置された貯水施設と個々に現存し、近未来に新築・改築されるであろうビル郡を対象にした物を都市型末端ダムと仮名する。
しかしながら、このシステムは、一時的な集中豪雨であって半永久的発電には、他の水流資源が必要となるが、海中の深層水を使用することを提案。
【発明の概要】
【発明が解決しょうとする課題】
【０００３】都市型集中豪雨に於ける河川の氾濫からの自然災害を回避する為に考案・建築された貯水場にも限界あり複数設置するのは困難である。
又、夜間に於ける電力の需要と供給の送電能力を平時・通常道りに供給するには、現段階の自然エネルギー（エコ発電）では半永久的送電不可能であり、海水・雨水をそのまま使用するのは、建物自体にダメージを与える恐れがあり、「塩害」を考慮する必要がある。
近代都市型水害の最大の危機は、集中豪雨により引き起こされる洪水・河川の氾濫による国民の生命・財産が奪われることであり、それを回避するために設置されたのが河川に隣接された地下貯水施設であるが、これには、物理的な問題が生じやすく困難である。
【課題を解決するための手段】
【０００４】低層・高層建築の降水時及び集中豪雨の水力落差を使用しつつ、建物全体で貯水することを考慮する。又、低層住宅においては、水力発電を重視する。
自然エネルギーの難点として、「降水が定まらない」が存在することが懸念されるが最悪の場合に備え、地下貯水施設が稼動可能となれば電力の安定供給を図ることが、建物自体にダメージ（塩害）を与えない水質、すなわち、『海水深層水』を使用することを提案するものである。
【発明の効果】
【０００５】現存する建物・近未来に改築する建物・新規に建築されるであろう建物及び低層建築（住宅を含む）を対象にしている為、発電所が至近距離に位置するので送電施設費（送電線を含む）が低コストで済むと共に送電時のロスを抑え発電時と同じ電力量が可能となる。又、地盤沈下を防ぐと共に光熱費の削減に繋がる。
海水深層水を発電資源とする為、災害時には、飲料水としても使用可能となる。
(57)【要約】【課題】放射性物質を徒に強力なものにしたり大量に用いることなく、β線の有用な作用をより大きく発揮できるような塗料を提供する。【解決手段】粉末状のβ線放出性材料に粉末状の炭素など導電性物質を混合し、これらをバインダーと共に混練して塗料化する。【特許請求の範囲】
【請求項１】
粉末状のβ線放出性材料に粉末状の導電性材料を加え、これらをバインダーと共に混練して成るβ線放出性塗料。
【請求項２】
粉末状の導電性材料が、粉末状の炭素である請求項１記載のβ線放出性塗料。
【発明の詳細な説明】
【技術分野】
【０００１】この発明は、β線放出およびそれに伴う電離等の作用に関わるβ線放出性塗料に関する。
【背景技術】
【０００２】いわゆる放射性物質は、放射性崩壊を起こすことにより不安定な原子核の構造を安定した原子核の構造に変化しようとするものであるが、その際、ヘリウムの原子核である＋電荷のα線と電子線である−電荷のβ線、及び極短波長電磁波のγ線を放出するのが一般的である。このうちβ線は電子を与えるものであって、これは酸化と還元の究極の定義であるところの還元に相当するものであるから、酸化に伴う様々な障害を防止するものとして、本発明者らはかねてよりこれに注目し、これを応用した製品等を製作し試用することによって、現実に多くの効果を確認してきた。
【先行技術文献】
【特許文献】
【０００３】
【特許文献１】実用新案登録第３１５１２１２号
【特許文献２】実用新案登録第３１６７２２６号
【発明の概要】
【発明が解決しようとする課題】
【０００４】本発明者は既にこのようなβ線放出性物質を例えば立体網目状体に塗着（担持）させ、これを通り抜けた気体や液体が明らかに好ましい作用・効果を発揮することを発見し確認している。例えばオイルクリーナーにセットしてオイルが長持ちすること、養殖池にセット（バブリング）して魚が無病で長生きしたり、生け花が長持ちすることなどである。【０００５】これはおそらくβ線がα線より浸透力があるために気体や液体中に侵入、分子衝突してこれを電離させ、マイナスイオンを生成してこれがヒドロキシルラジカルなどの有害な活性酸素を無害化するのではないかと推測される。【０００６】ただその作用をより強力なものにするために、用いる放射性物質を徒に強力なものにしたり大量に使うわけにはいかない。なぜなら人体への安全性やコスト等を考慮しなくてはならないからである。また塗料として用いる場合に、そのバインダー樹脂や有機系被塗材等を徐々に経時劣化させる懸念もある。【０００７】本発明はかかる観点から、同じ量でもより強力に効果を発揮させ、或いは有害要素を速やかに排除させる塗料（塗材）を提供することを課題とする。
【課題を解決するための手段】
【０００８】本発明者は既に用いているβ崩壊を伴う天然由来の放射性物質に更に黒色の炭素粉末を加えて塗料化し、具体的に立体網目状体に塗着したフィルターを作って車のオイルクリーナーに適用してみたところ、意外にも炭素粉末を加えないものに比べて約１．５倍以上もの効果があることが判明した。【０００９】これは同様のフィルターを通り抜けた空気を水中にバブリングした場合も、同様の作用・効果があることが認められた。【００１０】すなわち、粉末状のβ線放出性材料に粉末状の炭素を加え、これらをバインダーと共に混練して、これを塗料（塗材全般の広義のもの）とするものである。【００１１】但し、鉄（フェライト）やアルミニウムなどの金属のような導電性の粉末でも同様の効果が得られたが、塗料としてのより好ましい物性が得られたのは炭素粉末を用いた場合であった。【００１２】このように導電性物質の粉末をβ線放出性物質に混合した結果、その作用・効果に顕著な違いが生じた理由については、厳密な学術的検証を要する面もあるとはいえ、次のような理由が成り立つものと考えられる。【００１３】すなわち、通常β崩壊には必ずα崩壊がセットになっているため、β線である−電荷の電子の放出と同時に＋電荷のα線（ヘリウム原子核）の放出があるが、後者は前者に比べて空気中への浸透力が著しく小さいため当該塗料の内部に籠もって＋電荷を蓄積することになり、これが−電荷の電子の放出力を妨げることになるため、それに伴う電離作用やマイナスイオンの生成力をも損なうことになり、ひいてはヒドロキシルラジカルなどの有害な活性酸素の除去力も弱まる。【００１４】ところが塗料中に導電性の粉末が混合されていると、＋電荷はそれを伝わって装置の内外にアースされ、ヘリウム原子核はいずれ電子を得て微量のヘリウムガスとなり消散するというプロセスがスムーズに進行することになる。またこれは塗料のバインダーや被塗材のプラスチック分子等を破壊する時間も短縮させてこれを劣化させにくくする。更に有害なγ線も若干は吸収・遮蔽する。これが様々な有益な作用・効果を高めることになった理由と考えられる。
【発明の効果】
【００１５】既に述べてきたように本発明によれば、当該塗料の塗着面から放出されるβ線の作用が一層強まり、逆に有害なα線やγ線の作用が弱まって、放射性物質の量を増大させることなく、オイルや担体及びバインダー樹脂の劣化防止や水質改善、及びそれに伴う人間その他生物全般の健康増進や環境改善に大きく役立ち、更に特に素粉末を加えた場合は、それが赤外線をよく吸収して生体や水分子等を活性化させる領域の有益な遠赤外線を効率的に放射するなど、多大な効果がある。
【発明を実施するための形態】
【００１６】放射線レベルが基準値以下である天然由来の放射性物質を平均粒径１０〜１５μｍに粉末化し、これを５００ｇと、平均粒径１０〜１５μｍの活性炭粉末４５ｇと、ウレタン系クリヤー塗料２５０ｇとを混練して塗料化する。
【００１７】これを市販のポリウレタン系立体網目構造体に吹付け塗装して、実用新案登録第３１５１２１２号におけるオイルクリーナー充填用オイル改質具に適用してみたところ、改質具を使わない場合に走行距離約５０００ｋｍしかもたなかったものが約１５００００ｋｍももつようになった。ちなみに炭素粉末を混合しなかった場合は約８００００ｋｍ強であったから、少なくとも１．５倍以上、性能が向上したことになる。
【００１８】同じくこれをコンプレッサーに接続する空気の通路に設けて水中のバブリングに適用したところ、全く同様に著しい作用・効果の向上が認められた。
【００１９】なお本発明の適用範囲は上記の立体網目構造体に限るものではなく、例えば容器や管体の内面やハニカム構造体、或いは板やシート、壁面など、塗着できるものであればいずれでもよく、甚だ多岐にわたる。
【産業上の利用可能性】
【００２０】本発明の効果は甚だ意義のあるものであってニーズも大きく、量産も容易であるから、産業上の利用可能性は十分にある。
(57)【要約】【課題】数本からなる筒状の穴に、切り花の茎を差し込むことにより切り花が安定に保持される切り花安定補助具を提供する。【解決手段】内径の異なる数センチ長さの数本の筒状の上部を、ストッパーを備えたリング部材で束ね固定し、一体構造としたことを特徴とする切り花安定補助具。【選択図】図３
2015002960.tif 000002
【特許請求の範囲】
【請求項１】
内径の異なる数センチ長さの数本の筒状の上部を、ストッパーを備えたリング部材で束ね固定し一体構造としたことを特徴とする切り花安定補助具。
【発明の詳細な説明】
【技術分野】
【０００１】本発明は、内径の異なる数センチ長さの数本の筒状の中空を利用する花瓶用活け花に関するものである。
【背景技術】
【０００２】従来、花瓶に活け花するとき切り花を安定させる補助具はなかった。
【発明の開示】
【発明が解決しようとする課題】
【０００３】そのために、次のような問題点があった。
（イ）花瓶等に花を活けるとき、切り花の茎が倒れ、傾き、見栄が悪かった。本発明はこれらの問題点を解決するためになされたものである。
【課題を解決するための手段】
【０００４】内径の異なる数センチ長さの数本の筒状の上部を、ストッパーを備えたリング部材で束ね固定し一体構造としたことを特徴とする切り花安定補助具。
【発明の効果】
【０００５】数本からなる筒状の穴に、切り花の茎を差し込むことにより切り花が安定に保持される。倒れることも、傾くこともなく見栄えも良い。しかも、茎の下部が外の茎と密着することもなく間隔が保たれ腐敗の進行も遅くなり花も長持ちする。
【発明を実施するための最良の形態】
【０００６】以下、本発明の実施の形態について説明する。
（イ）数本の筒を束ね一体構造とするストッパーを兼ねるリング部材を設ける。
本発明は以上のような構成で、これを使用するときは、一体構造からなる切り花安定補助具を花瓶の口に差し入れる。ストッパーにより補助具が花瓶の口にセットできる。切り花の茎を筒の穴に差し込む。長さのある筒により切り花の茎が倒れることもなく又傾くこともなく安定に保持される。簡単な構造からなる。
【実施例１】
【０００７】図面の３に示すように、茎が筒により安定に保持され倒れることもなく花生けが見栄え良く簡単にできる。
【図面の簡単な説明】
【０００８】
【図１】  本発明の平面図
【図２】  本発明の側面図
【図３】  本発明を花瓶に装着した実施例を示す断面図
【符号の説明】
【０００９】１  筒
２  リング
３  ストッパー
４  差し込み口
【図１】
2015002960.tif 000003
【図２】
2015002960.tif 000004
【図３】
2015002960.tif 000005
(57)【要約】【課題】主に寝たきりの状態や車椅子利用などにより、自力では階段を昇降できない方の車椅子やベッドを電気を使用しないで昇降できるようにすること。【解決手段】階段に昇降台車のレールを設置する。動力として渦巻きバネを内臓した巻取りドラムを昇降台車に固定し、巻取りドラムのワイヤロープを上階に接続する。途中の踊り場にはワイヤロープをガイドするガイドローラーを設け、力の方向を階段に沿って転換する。介助者は巻取りドラムのハンドルを押し回しながら上階に引き上げる。上階で車椅子を下ろした後、ハンドルを下り方向に押し回して昇降台車を階下に下ろす。【選択図】図２
2015002959.tif 000002
【特許請求の範囲】
【請求項１】
本発明は昇降台車を用いた階段昇降装置であって、動力として渦巻きバネを用いる方法において、渦巻きバネはバネケースに収納され外端をバネケースに内端を軸心に固着し、軸心はバネケースに軸回転可能に取り付けることを特徴とする。
【請求項２】
請求項１の渦巻きバネは、バネケースの外部にワイヤーロープなどを巻き取るドラムを一体化して設け、ワイヤーロープなどの一端を巻取りドラムに固着して設けたことを特徴とする。
【請求項３】
巻取りドラムは手で回転するためのハンドルを取り付けたことを特徴とする。
【請求項４】
渦巻きバネを内臓した巻取りドラムは、昇降台車に固定し、一方ワイヤの一端は上階に固定したことを特徴とする。
【発明の詳細な説明】
【技術分野】
【０００１】本発明は、車椅子による階段の昇降装置に関するものである。
【背景技術】
【０００２】社会福祉施設等において、寝たきり状態や車椅子利用等により自力では地震や津波の災害から避難できない方が、停電時でも居室のある階から屋上へ或いは階下へ安全に避難できる設備が望まれている。【０００３】或いは自宅で車椅子利用者が普段の生活の中で車椅子に乗ったまま２階に上がりたいとしても現状ではエレベータを利用するか、階段昇降装置であっても車椅子から装置の椅子に乗り換えて２階に上がるしかない。いずれも住宅の大幅な改造が必要であり、多額の費用を必要とする。
【発明の開示】
【発明が解決しようとする課題】
【０００４】解決しようとする課題は、電気を使用しないでも利用できる設備であって、１〜２名の介助者で車椅子に乗ったまま階段を昇降する安価な設備を提供することである。
【課題を解決するための手段】
【０００６】本発明は動力として渦巻きバネの力を利用して、介助者の力を軽減し階段のスロープを昇降することを最も大きな特徴とする。或いは自力で車椅子を動かしている方であれば、階段の昇降も自力で行える。
【発明の効果】
【０００７】電力を必要としないため、停電時でも階段の昇降が可能である。また災害時以外の通常の生活で利用する設備としても、エレベータや電動式の階段昇降装置に比べて価格面で遥かに安価である。
【発明を実施するための最良の形態】
【０００８】渦巻きバネはバネケースに収納し、外端をバネケースに内端を軸心に固着し、軸心はバネケースに回転可能に取り付ける。バネケースの外側にはワイヤーロープなどを巻き取るドラムを一体化して設け、ワイヤーロープなどの一端を巻取りドラムに固着する。巻取りドラムは手で回転するためのハンドルを取り付ける。巻取りドラムは昇降台車に固定し、一方ワイヤの一端は上階に固定する。階段には昇降台車が走行するレールを設置し、昇降台車が走行可能とする。【０００９】昇降台車には車椅子を載せるためのスロープを設け、車椅子を載せた後スロープは折り畳み、昇降台車の床を水平に持ち上げて車椅子を安定に固定する。階段の踊り場にはワイヤーロープをガイドするガイドローラーを設け、力の方向を階段に沿って転換する。介助者は巻取りドラムのハンドルを押し回しながら台車を上階に引き上げる。上階に着いた後、台車からスロープを渡して車椅子を下ろす。その後ハンドルを手で押し回して昇降台車を階下に下ろす。
【実施例】
【００１０】図１は本発明の巻取りドラムでＡ−Ａ断面はバネが巻き締まった状態を示す。図２は昇降台車が階段に設置された階段全体の状態図を示す。
【図面の簡単な説明】
【００１０】
【図１】巻取りドラムである。
【図２】昇降台車に車椅子を載せた階段全体の状態図である。
【符号の説明】１  渦巻きバネ
２  軸心
３  バネケース
４  巻取りドラム
５  ハンドル
６  ワイヤーロープ
７  台車
８  車椅子
９  台車ハンドル
１０  手すり
１１  台車床板
１２  乗車用スロープ
１３  降車用スロープ
１４  レール
１５  ガイドローラー
１６  フック
１７  踊り場
【図１】
2015002959.tif 000003
【図２】
2015002959.tif 000004